(57)【要約】【課題】観察者の興味を十分に惹きつけることができる態様で展示物を展示する展示装置を提供する。【解決手段】展示装置１は、２段の棚をなす棚部２と、透明な板部材３ａや枠部材３ｂ等からなり、棚部２の前面を覆う窓部３と、棚部２の内部に配された台座部４を有しており、ホログラフィーにより窓部３の板部材３ａに展示物の立体画像（展示画像５）が表示される。これらの展示画像５は、窓部３に対面する観察者から、台座部４に展示物が載置されたように見えるように調整されており、観察者の挙動や操作端末に対する操作に応じて、展示画像５の角度や大きさが変化するよう構成されている。【選択図】図４
2014042655.tif 000002
【特許請求の範囲】
【請求項１】
外面に形成された窓部を介して内部を視認可能に構成されたケース部材と、
展示物の画像情報を取得する取得手段と、
前記画像情報に基づき、前記ケース部材の内部に載置された前記展示物の立体画像を表示する表示手段と、
前記ケース部材に形成された前記窓部に対面する観察者の挙動を検出する挙動検出手段と、
を備え、
前記表示手段は、前記挙動検出手段により検出された前記観察者の挙動に応じて、前記ケース部材の内部に表示されている前記立体画像の表示状態を変化させること、
を特徴とする展示装置。
【請求項２】
外面に形成された窓部を介して内部を視認可能に構成されたケース部材と、
展示物の画像情報を取得する取得手段と、
前記画像情報に基づき、前記ケース部材の内部に載置された前記展示物の立体画像を表示する表示手段と、
操作端末と無線通信を行い、該操作端末を介して操作を受け付ける受付手段と、
を備え、
前記表示手段は、前記受付手段が前記操作端末を介して受け付けた操作に応じて、前記ケース部材の内部に表示されている前記立体画像の表示状態を変化させること、
を特徴とする展示装置。
【請求項３】
外面に設けられた透過性の板状のディスプレイを介して内部を視認可能に構成されたケース部材と、
前記ケース部材の内部に載置された食品の温度を検出する温度検出手段と、
前記温度検出手段により検出された前記食品の温度に応じて、前記ディスプレイの色を変化させる画像制御手段と、
を備えることを特徴とする展示装置。
【請求項４】
展示対象となる動物の挙動を示す画像情報と、該動物の移動状態を示す移動情報とを取得する取得手段と、
原動機により移動可能に構成された移動体と、
前記取得手段により取得された前記画像情報に基づき、前記移動体の上に立体画像により前記動物の動画を表示する表示手段と、
前記取得手段により取得された前記移動情報に基づき、前記動物の前記移動状態に応じて前記移動体を移動させる移動制御手段と、
を備えることを特徴とする展示装置。
【発明の詳細な説明】
【技術分野】
【０００１】
本発明は、展示物を立体表示する展示装置に関する。
【背景技術】
【０００２】
従来、立体画像を表示する技術として、ホログラフィー等が知られている。特許文献１には、ホログラフィーにより、ケース内に載置された展示物と共に、該展示物に関する情報を立体画像として表示させる情報表示展示装置について記載されている。このような情報表示展示装置によれば、観察者の興味を惹きつけることができる。
【先行技術文献】
【特許文献】
【０００３】
【特許文献１】特開平０９−２８５３０号公報
【発明の概要】
【発明が解決しようとする課題】
【０００４】
ここで、特許文献１に記載の情報表示展示装置において、展示物に関する情報と同様に、展示物自体の立体画像を表示することも考えられ、これにより、手元に無い展示物を実物に近い状態で展示することが可能となる。
【０００５】
しかしながら、この情報表示展示装置は、ケースのカバーガラスに設けられたホログラムスクリーンに記録された立体画像を表示する構成となっている。このため、予め定められた角度や大きさで立体画像を表示することしかできず、観察者の興味を十分に惹きつけることができない可能性がある。
【０００６】
本願発明は上記課題に鑑みてなされたものであり、観察者の興味を十分に惹きつけることができる態様で展示物を展示する展示装置を提供することを目的とする。
【課題を解決するための手段】
【０００７】
上記課題に鑑みてなされた請求項１に係る展示装置は、外面に形成された窓部を介して内部を視認可能に構成されたケース部材と、展示物の画像情報を取得する取得手段と、画像情報に基づき、ケース部材の内部に載置された展示物の立体画像を表示する表示手段と、ケース部材に形成された窓部に対面する観察者の挙動を検出する挙動検出手段と、を備える。
【０００８】
そして、表示手段は、挙動検出手段により検出された観察者の挙動に応じて、ケース部材の内部に表示されている立体画像の表示状態を変化させる。
このような構成によれば、展示物の立体画像を表示すると共に、観察者からの指示に応じて、角度，大きさ等といった該立体画像の表示状態を変化させることができる。このため、観察者は、自分の手元に展示物の実物が存在するかのような感覚で、あらゆる角度から思いのままに展示物を観察することが可能となり、観察者の興味を十分に惹きつけることができる。
【０００９】
なお、請求項２に記載されているように、展示装置は、請求項１と同様のケース部材，取得手段，表示手段と、操作端末と無線通信を行い、該操作端末を介して操作を受け付ける受付手段と、を備えても良い。そして、表示手段は、受付手段が操作端末を介して受け付けた操作に応じて、ケース部材の内部に表示されている立体画像の表示状態を変化させても良い。
【００１０】
このような構成を有する場合であっても、観察者からの指示に応じて立体画像の角度，大きさ等を変化させることができ、観察者の興味を十分に惹きつけることができる。
また、請求項３に係る展示装置は、外面に設けられた透過性の板状のディスプレイを介して内部を視認可能に構成されたケース部材と、ケース部材の内部に載置された食品の温度を検出する温度検出手段と、温度検出手段により検出された食品の温度に応じて、ディスプレイの色を変化させる画像制御手段と、を備える。
【００１１】
このような構成によれば、例えば、展示されている食品の温度が高い場合には、ディスプレイの色を、赤色やオレンジ色等の暖色系の色とすることができる。これにより、展示されている食品に対する観察者の食欲をそそることができ、観察者の興味を十分に惹きつけることができる。
【００１２】
また、請求項４に係る展示装置は、展示対象となる動物の挙動を示す画像情報と、該動物の移動状態を示す移動情報とを取得する取得手段と、原動機により移動可能に構成された移動体と、取得手段により取得された画像情報に基づき、移動体の上に立体画像により動物の動画を表示する表示手段と、取得手段により取得された移動情報に基づき、動物の移動状態に応じて移動体を移動させる移動制御手段と、を備える。
【００１３】
このような構成によれば、移動体の上に展示対象の動物の動画を立体画像により表示させつつ、該動物の実際の挙動に応じて移動体を移動させることができる。このため、観察者に対し、あたかも移動体の上に展示対象の動物が存在するかのような感覚を与えることができ、観察者の興味を十分に惹きつけることができる。
【図面の簡単な説明】
【００１４】
【図１】第一実施形態の展示装置の正面図である。
【図２】第一実施形態の展示装置の斜視図である。
【図３】第一実施形態の展示装置の構成を示すブロック図である。
【図４】第一実施形態の展示装置に展示画像が表示された際の様子を示す説明図である。
【図５】展示画像の角度を調整する様子を示す説明図である。
【図６】展示画像の角度を調整する様子を示す説明図である。
【図７】展示画像の大きさを調整する様子を示す説明図である。
【図８】第一実施形態の展示処理のフローチャートである。
【図９】第二実施形態の展示装置の斜視図である。
【図１０】第二実施形態の展示装置にて展示される食品の一例である。
【図１１】第二実施形態の展示装置の構成を示すブロック図である。
【図１２】第二実施形態の展示処理のフローチャートである。
【図１３】第三実施形態の展示システムの構成を示すブロック図である。
【図１４】第三実施形態の展示装置の外観を示す説明図である。
【図１５】第三実施形態の展示装置の構成を示すブロック図である。
【図１６】第三実施形態の中継装置の構成を示すブロック図である。
【図１７】第三実施形態の撮影装置の構成を示すブロック図である。
【図１８】第三実施形態の撮影処理のフローチャートである。
【図１９】第三実施形態の中継処理のフローチャートである。
【図２０】第三実施形態の展示処理のフローチャートである。
【発明を実施するための形態】
【００１５】
以下、本発明の実施形態について図面を用いて説明する。なお、本発明の実施の形態は、下記の実施形態に何ら限定されることはなく、本発明の技術的範囲に属する限り種々の形態を採りうる。
【００１６】
［第一実施形態］
［構成の説明］
まず、第一実施形態の展示装置の構成について、図１〜３を用いて説明する。展示装置１は、直方体形状の２段の棚として形成されている棚部２と、透明な板部材３ａや枠部材３ｂ等からなり、棚部２の前面を覆うように配された窓部３と、棚部２の内部に配された台座部４を有している。
【００１７】
また、展示装置１は、表示部１０と、挙動検出部１１と、通信部１２と、制御部１３と、操作部１４と、情報取得部１５と、リモコン受信部１６とを備える。
表示部１０は、ホログラフィーにより窓部３の板部材３ａに立体画像を表示するよう構成されている。より具体的には、例えば、特開２００３−０２１８２０号公報や、特表２０１０−５３９５３２号公報や、特表２０１１−５０７０４７号公報等に記載された方法で、立体画像を表示することが考えられる。
【００１８】
また、挙動検出部１１は、窓部３に対面する観察者の挙動を検出する部位であり、枠部材３ｂに内蔵された周知の深度センサやカメラ等から構成されている。この深度センサは、窓部３の前方に赤外線を照射すると共に、反射した赤外線を読み取るよう構成されており、深度センサにより読み取られた赤外線や、カメラにより撮影された画像に基づき、観察者の挙動が検出される。
【００１９】
また、制御部１３は、ＣＰＵ、ＲＯＭ、ＲＡＭ、Ｉ／Ｏ及びこれらを接続するバスライン等からなる周知のマイクロコンピュータを中心に構成され、ＲＯＭに記憶されたプログラム等に従い展示装置１を統括制御する。
【００２０】
また、通信部１２は、インターネット等を介して外部サーバと通信を行い、各種情報を取得したり、ウェブサイトにアクセスするための部位である。
また、操作部１４は、窓部３の板部材３ａに設けられたタッチパネル等として構成されており、各種操作を受け付ける部位である。
【００２１】
また、情報取得部１５は、メモリカードやＵＳＢメモリ等の記憶媒体から各種情報を読み出したり、無線ＬＡＮ等を介して、携帯端末やＰＣから各種情報を取得するための部位である。
【００２２】
また、リモコン受信部１６は、各種操作を受け付ける操作端末１７から、赤外線や無線ＬＡＮ等を介して、該操作端末１７に対してなされた操作の内容を示す操作情報を受信する部位である。
【００２３】
［動作の説明］
次に、第一実施形態の展示装置１の動作について説明する。
展示装置１の制御部１３は、表示部１０により、窓部３の板部材３ａに各種展示物の立体画像（展示画像５）を表示するよう構成されており、各展示画像５は、窓部３に対面する観察者から該展示物がいずれかの台座部４に載置されているように見えるよう調整されている（図４参照）。このため、展示装置１の棚部２の内部の各台座部４に、あたかも展示物が陳列されているかのように見える。
【００２４】
なお、展示画像５を一定の速度で鉛直方向に沿って延びる軸を中心に回転させる等、展示画像５を動かす構成としても良い。こうすることにより、観察者の興味をより一層惹きつけることが可能となる。
【００２５】
また、各展示画像５は、通信部１２によりインターネットを介して取得された画像情報や、情報取得部１５により記憶媒体や携帯端末等から取得された画像情報に基づき制御部１３にて生成されたものである。このため、通信部１２等を介して展示装置１に画像情報を提供することで、任意の展示物の立体画像を表示させることができる。
【００２６】
また、展示装置１の制御部１３は、展示物の観察者の挙動に応じて、展示画像５の表示状態を変化させる。具体的には、例えば、挙動検出部１１を介して観察者の視線を検出し、該視線に基づき観察者が観察している展示画像５を特定すると共に、観察者の手の挙動（例えば、観察者の親指と人差し指を回す仕草）に応じて、展示画像５の角度等を調整することが考えられる。
【００２７】
すなわち、窓部３に対面する観察者が、親指と人差し指を、略水平方向に、円を描くよう荷に所定の角度分回す仕草がなされた場合には、観察中の展示画像５を水平方向に該角度分回転させても良い（図５参照）。
【００２８】
また、観察者側に位置する親指と、窓部３側に位置する人差し指とを後方に所定の角度分回す（該親指が下方に、該人差し指が上方に移動するよう、親指と人差し指を、略鉛直方向に所定の角度分回す）仕草がなされた場合には、観察中の展示画像５を前方に該角度分回転させても良い（図６参照）。
【００２９】
無論、親指と人差し指を回す方向を正確に特定し、親指と人差し指が回された角度分、該方向に沿って観察中の展示画像５を回転させても良い。
これにより、観察者は様々な角度から展示物を観察することが可能となる。
【００３０】
また、親指と人差し指の間隔を広げる仕草がなされた場合には、親指と人差し指の間隔や、これらの指が動く速度に応じた倍率で、観察中の展示画像５を拡大しても良い（図７参照）。また、これとは逆に、親指と人差し指の間隔を狭める仕草がなされた場合においても、親指と人差し指の間隔や、これらの指が動く速度に応じた縮小率で、観察中の展示画像５を縮小しても良い。これにより、展示画像５を様々な大きさにして観察することができる。
【００３１】
また、これ以外にも、観察者の視線により観察中の展示画像５を特定すると、該展示画像５を回転させたり、拡大させたりしても良い。また、例えば、観察者の挙動に応じて展示画像５の輝度や色合い等を調整しても良いし、展示画像５の色を変化させても良い。こうすることにより、観察者の興味を惹きつけることが可能となる。
【００３２】
また、操作端末１７に対する操作に応じて、観察対象の展示画像５を決定すると共に、該展示画像５の角度や大きさ等を調整しても良い。このような場合であっても、同様にして観察者の興味を惹きつけることができる。
【００３３】
また、展示装置１によるネット通販と連携した展示物の購入が可能となっており、展示装置１の制御部１３は、観察者からの指示に応じて、インターネットを介して外部サーバにアクセスし、展示物を購入するための処理を行う。具体的には、各展示物に対応して購入を依頼するウェブサイトが登録されており、観察者からの指示に応じて該ウェブサイトにアクセスすることで、展示物の購入がなされる。
【００３４】
以下では、観察者の挙動に応じて展示画像５の表示状態を変化させる展示処理について、図８に記載のフローチャートを用いて説明する。なお、展示処理は、展示画像５の表示中に制御部１３にて周期的に実行される処理である。
【００３５】
Ｓ１０５では、展示装置１の制御部１３は、挙動検出部１１を構成する深度センサやカメラを介して、窓部３の正面に人が存在しているか否かを判定する。そして、肯定判定が得られた場合には（Ｓ１０５：Ｙｅｓ）、展示画像５を見ている観察者が存在するとみなし、Ｓ１１０に処理を移行し、否定判定が得られた場合には（Ｓ１０５：Ｎｏ）、本処理を終了する。
【００３６】
Ｓ１１０では、制御部１３は、挙動検出部１１を介して観察者の視線や挙動を検出し、視線に基づき観察中の展示画像５特定すると共に、続くＳ１１５では、検出された挙動が、観察中の展示画像５の角度や大きさ等を変更させる変更動作か否かを判定する。そして、肯定判定が得られた場合には（Ｓ１１５：Ｙｅｓ）、Ｓ１２０に処理を移行し、否定判定が得られた場合には（Ｓ１１５：Ｎｏ）、Ｓ１２５に処理を移行する。
【００３７】
Ｓ１２０では、制御部１３は、検出された変更動作に基づき観察中の展示画像５の角度や大きさ等を変化させ、該展示画像５の表示状態を変化させる。
なお、制御部１３は、リモコン受信部１６を介して操作端末１７から受信した操作情報の内容に応じて、観察対象となる展示画像５を特定すると共に、該展示画像５の角度や大きさ等を変更させても良い。
【００３８】
続くＳ１２５では、制御部１３は、窓部３の板部材３ａに設けられたタッチパネルとしての操作部１４を介して、展示画像５に係る展示物を購入する購入指示を受け付けたか否かを判定する。具体的には、例えば、該タッチパネルにおける展示画像５の正面に位置する領域をタッチする動作を、該展示画像５に係る展示物の購入指示とみなしても良い。そして、肯定判定が得られた場合には（Ｓ１２５：Ｙｅｓ）、Ｓ１３０に処理を移行し、否定判定が得られた場合には（Ｓ１２５：Ｎｏ）、本処理を終了する。
【００３９】
Ｓ１３０では、制御部１３は、通信部１２を介して、購入指示がなされた展示物に対応して登録されているウェブサイトにアクセスし、該展示物の購入を行うための処理を行い、本処理を終了する。
【００４０】
無論、制御部１３は、リモコン受信部１６を介して操作端末１７から受信した操作情報に応じて、展示画像５に係る展示物の購入のための処理を行っても良い。
［効果］
第一実施形態の展示装置１によれば、展示物の展示画像５を表示すると共に、観察者からの指示に応じて、該展示画像５の角度，大きさ等を変化させることができる。このため、観察者は、自分の手元に展示物の実物が存在するかのような感覚で、あらゆる角度から思いのままに展示物を観察することが可能となり、観察者の興味を十分に惹きつけることができる。
【００４１】
［第二実施形態］
［構成の説明］
次に、第二実施形態の展示装置の構成について説明する。第二実施形態の展示装置２００は、直方体形状の２段の棚として形成されている棚部２０１と、透明な板部材２０２ａや枠部材２０２ｂ等からなり、棚部２０１の前面を覆うように配された窓部２０２と、棚部２０１の内部に配された台座部２０３を有している（図９参照）。
【００４２】
そして、窓部２０２は、棚部２０１の前面に設けられた蝶番により開閉可能に構成されており、図１０に記載されているように、各台座部２０３には、食品等の展示物２０４を載置可能となっている。なお、棚部２０１の側面や上面等に開閉可能に構成することで、各台座部２０３に展示物を載置可能としても良い。
【００４３】
また、展示装置２００は、透過型ディスプレイ２１０と、温度センサ２１１と、制御部２１２とを備える（図１１参照）。
透過型ディスプレイ２１０は、背部が透けて見える周知のディスプレイであり、窓部２０２の板部材２０２ａとして構成されている。
【００４４】
また、温度センサ２１１は、赤外線により棚部２０１の内部に載置された展示物の温度を検出する部位である。
また、制御部２１２は、ＣＰＵ、ＲＯＭ、ＲＡＭ、Ｉ／Ｏ及びこれらを接続するバスライン等からなる周知のマイクロコンピュータを中心に構成され、ＲＯＭに記憶されたプログラム等に従い展示装置２００を統括制御する。
【００４５】
［動作の説明］
次に、第二実施形態の展示装置２００の動作について説明する。
展示装置２００の棚部２０１の内部には、展示物として食品を載置可能であると共に、食品の展示中、窓部２０２の板部材２０２ａをなす透過型ディスプレイ２１０全体に、単一色の背景画面が表示される。このとき、背景画面の色は透過性を有する色に設定されており、これにより、展示されている食品の周辺が背景画面の色に着色されているかのように見える。
【００４６】
そして、展示装置２００は、温度センサ２１１により展示されている食品の温度を検出すると共に、該温度に応じて、透過型ディスプレイ２１０に表示されている背景画面の色を調整する。具体的には、食品の温度が高い場合には、赤色やオレンジ色等の暖色系の色を背景画面の色として設定し、温度が低い場合には背景画面を無色に設定しても良い。
【００４７】
以下では、棚部２０１に展示されている食品の温度に応じて、透過型ディスプレイ２１０に表示されている背景画面の色を調整する展示処理について、図１２に記載のフローチャートを用いて説明する。なお、本処理は、展示装置２００の稼動中に、制御部２１２にて周期的に実行される処理である。
【００４８】
Ｓ３０５では、展示装置２００の制御部２１２は、温度センサ２１１により検出された棚部２０１の内部に配された各台座部２０３周辺の温度により、食品の展示中か否かを判定する。そして、肯定判定が得られた場合には（Ｓ３０５：Ｙｅｓ）、Ｓ３１０に処理を移行し、否定判定が得られた場合には（Ｓ３０５：Ｎｏ）、本処理を終了する。
【００４９】
Ｓ３１０では、制御部２１２は、温度センサにより展示中の各食品の温度を検出し、Ｓ３１５に処理を移行する。
Ｓ３１５では、制御部２１２は、各食品の温度に基づき、透過型ディスプレイ２１０に表示されている背景画面の色を決定する。
【００５０】
具体的には、例えば、０〜２０度は無色，２０〜３０度は黄色，３０〜４０度はオレンジ色，４０〜６０度は赤色といった具合に、温度に対応する背景画面の色を予め定めておいても良い。そして、制御部２１２は、各食品の平均温度を算出し、上記対応関係に基づき、該平均温度に応じて背景画面の色を決定しても良い。
【００５１】
また、これ以外にも、上記対応関係に基づき、展示されている各食品に対応する背景画面の色を特定し、最も多く特定された色を、背景画面の色としても良い。
そして、制御部２１２は、透過型ディスプレイ２１０の背景画面を決定した色とし、本処理を終了する。
【００５２】
なお、これ以外にも、例えば、透過型ディスプレイ２１０における各食品の正面に位置する領域を対応領域として定め、各食品の温度に応じて、該食品の対応領域の色を変化させても良い。
【００５３】
［効果］
第二実施形態の展示装置２００によれば、展示されている食品が温かい場合には、食品の背景色を暖色系の色にすることができる。このため、展示されている食品に対する観察者の食欲をそそることができ、観察者の興味を十分に惹きつけることができる。
【００５４】
［第三実施形態］
［構成の説明］
次に、第三実施形態の展示システムの構成について、図１３を用いて説明する。展示システム４００は、撮影装置４４０と、中継装置４２０と、展示装置４１０とから構成されている。
【００５５】
撮影装置４４０は、動物園や水族館等に設けられており、周知の方法により、飼育されている動物や魚等を撮影すると共に、立体画像により該動物等の動画を表示するための立体画像情報を生成する。また、撮影した画像に基づき、撮影対象の移動方向と移行速度を特定すると共に、該立体画像情報により表示される動画と共通の時間軸上で撮影対象の移動方向と移動速度を特定可能な移動情報を生成する。そして、インターネット４３０を介して、中継装置４２０に対し、立体画像情報と移動情報とを提供する。
【００５６】
また、中継装置４２０は、撮影装置４４０から立体画像情報と移動情報を取得すると、無線通信によりこれらの情報を展示装置４１０に送信する。
また、展示装置４１０は、中継装置４２０から受信した立体画像情報に基づき、撮影対象の立体動画を表示すると共に、中継装置４２０から受信した移動情報に従い移動する。
【００５７】
次に、展示装置４１０の構成について説明する。図１４に記載されているように、展示装置４１０は、円板状の移動体４１１と、移動体４１１の上面に立設された透明な板状部材を有し、第一実施形態と同様の方法により該板状部材に撮影対象の立体動画を表示する表示部４１２とを備える。
【００５８】
また、図１５に記載されているように、展示装置４１０は、表示部４１２に加え、移動体４１１に設けられた車輪を駆動するモータ４１５と、該車輪の向きを変えることで移動体４１１の進行方向を制御する操舵部４１６を備える。また、自装置周辺に存在する観察者の挙動を検出する上述した深度センサやカメラやマイク等から構成されたセンサ部４１７と、中継装置４２０と無線通信を行う無線通信部４１３と、制御部４１４とを備える。
【００５９】
なお、制御部４１４は、ＣＰＵ、ＲＯＭ、ＲＡＭ、Ｉ／Ｏ及びこれらを接続するバスライン等からなる周知のマイクロコンピュータを中心に構成され、ＲＯＭに記憶されたプログラム等に従い展示装置４１０を統括制御する。
【００６０】
また、図１６に記載されているように、中継装置４２０は、インターネット４３０を介して撮影装置４４０と通信を行う通信部４２１と、展示装置４１０と無線通信を行う無線通信部４２２と、制御部４２３とを備える。制御部４２３は、ＣＰＵ、ＲＯＭ、ＲＡＭ、Ｉ／Ｏ及びこれらを接続するバスライン等からなる周知のマイクロコンピュータを中心に構成され、ＲＯＭに記憶されたプログラム等に従い中継装置４２０を統括制御する。
【００６１】
また、図１７に記載されているように、撮影装置４４０は、インターネット４３０を介して中継装置４２０と通信を行う通信部４４１と、撮影対象の動物等を撮影するためのカメラ４４２と、制御部４４３とを備える。制御部４４３は、ＣＰＵ、ＲＯＭ、ＲＡＭ、Ｉ／Ｏ及びこれらを接続するバスライン等からなる周知のマイクロコンピュータを中心に構成され、ＲＯＭに記憶されたプログラム等に従い撮影装置４４０を統括制御する。
【００６２】
［動作の説明］
既に述べたように、第三実施形態の展示システム４００は、撮影装置４４０により生成された撮影対象の立体画像情報，移動情報を、中継装置４２０を介して展示装置４１０に提供する。そして、展示装置４１０では、該立体画像情報に基づき撮影対象の立体動画を表示すると共に、該移動情報に応じて移動する。
【００６３】
以下では、撮影装置４４０，中継装置４２０，展示装置４１０の動作について詳しく説明する。
まず、撮影対象の動物等を撮影し、該動物の立体画像を表示するための立体画像情報と、該動物の移動情報とを生成する撮影処理について、図１８に記載のフローチャートを用いて説明する。なお、本処理は、撮影装置４４０にて撮影が行われている間、定期的なタイミングで実行される。
【００６４】
Ｓ５０５では、撮影装置４４０の制御部４４３は、カメラ４４２による撮影により得られた画像データに基づき立体画像情報を生成し、Ｓ５１０に処理を移行する。
Ｓ５１０では、制御部４４３は、画像データに基づき撮影対象の移動情報を生成する。この移動情報とは、立体画像情報に基づき生成される動画と共通の時間軸において、撮影対象の移動速度と移動方向とを特定可能な情報となっている。
【００６５】
このため、例えば、撮影開始後、Ｘ分が経過した時点において、撮影対象であるパンダが餌を食べながら、方角Ｙに向かって速度Ｚで歩いているとする。このとき、立体画像情報からは、Ｘ分において該パンダが餌を食べる動画が生成されると共に、移動情報からは、Ｘ分において該パンダが方角Ｙに向かって速度Ｚで移動していることが特定される。
【００６６】
続くＳ５１５では、制御部４４３は、通信部４４１を介してインターネット４３０にアクセスすると共に、インターネット４３０を経由して中継装置４２０に立体画像情報と移動情報を提供し、本処理を終了する。
【００６７】
次に、撮影装置４４０から取得した立体画像情報と移動情報を、展示装置４１０に中継する中継処理について、図１９に記載のフローチャートを用いて説明する。なお、本処理は、中継装置４２０にて定期的なタイミングで実行される。
【００６８】
Ｓ６０５では、中継装置４２０の制御部４２３は、通信部４２１を介して撮影装置４４０から立体画像情報と移動情報を取得したか否かを判定する。そして、肯定判定が得られた場合には（Ｓ６０５：Ｙｅｓ）、Ｓ６１０に処理を移行し、否定判定が得られた場合には（Ｓ６０５：Ｎｏ）、本処理を終了する。
【００６９】
Ｓ６１０では、制御部４２３は、無線通信部４２２を介して、展示装置４１０に立体画像情報と移動情報とを送信し、本処理を終了する。
次に、立体画像情報に基づき撮影対象の立体動画を表示すると共に、移動情報に基づき展示装置４１０を移動させる展示処理について、図２０に記載のフローチャートを用いて説明する。なお、本処理は、展示装置４１０にて定期的なタイミングで実行される。
【００７０】
Ｓ７０５では、展示装置４１０の制御部４１４は、無線通信部４１３を介して、中継装置４２０から、立体画像情報と移動情報を受信したか否かを判定する。そして、肯定判定が得られた場合には（Ｓ７０５：Ｙｅｓ）、Ｓ７１０に処理を移行し、否定判定が得られた場合には（Ｓ７０５：Ｎｏ）、本処理を終了する。
【００７１】
Ｓ７１０では、制御部４１４は、受信した立体画像情報に基づき、表示部４１２に、撮影対象の立体動画を表示し、Ｓ７１５に処理を移行する。
Ｓ７１５では、制御部４１４は、センサ部４１７を介して、自装置周辺の観察者の挙動や、観察者が発した声を検出すると共に、特定の挙動（例えば、自装置に近づく、手招きをする等）をとった観察者や、特定の音声（例えば、“こっちに来い”等）を発した観察者が存在するか否かを判定する。そして、肯定判定が得られた場合には（Ｓ７１５：Ｙｅｓ）、Ｓ７２５に処理を移行し、否定判定が得られた場合には（Ｓ７１５：Ｎｏ）、Ｓ７２０に処理を移行する。
【００７２】
Ｓ７２０では、制御部４１４は、モータ４１５及び操舵部４１６を制御し、移動体４１１を、受信した移動情報が示す移動方向に、該移動情報が示す移動速度で移動させる。そして、本処理を終了する。
【００７３】
一方、Ｓ７２５では、制御部４１４は、モータ４１５及び操舵部４１６を制御し、移動体４１１を、特定の挙動をとった観察者や、特定の音声を発した観察者に向かって移動させる。そして、本処理を終了する。
【００７４】
［効果］
第三実施形態の展示システム４００によれば、移動体４１１の上に展示対象の動物等の立体動画を表示させると共に、該動物等の実際の挙動に応じて、移動体４１１を移動させることができる。このため、観察者に対し、あたかも移動体の上に展示対象の動物が存在するかのような感覚を与えることができ、観察者の興味を十分に惹きつけることができる。
【００７５】
また、観察者が特定の挙動をとったり、声を掛けたりすると、観察者に向かって移動体４１１を移動させることができ、観察者を喜ばせることができる。
［他の実施形態］
（１）第一実施形態における展示装置１では、窓部３の板部材３ａに展示物の立体画像を表示する構成となっている。しかしながら、棚部２の内面における窓部３に対面する位置に立体画像を表示可能なディスプレイを設け、該ディスプレイにより、いずれかの台座部４に載置されているように見える状態で、展示物の立体画像を表示しても良い。なお、このとき、観察者は３Ｄめがねを用いて展示物の立体画像を観察する構成としても良い。このような場合であっても、同様の効果を得ることができる。
【００７６】
（２）また、第三実施形態における展示装置４１０においても、移動体４１１の上面にディスプレイを立設し、該ディスプレイにより、撮影対象の動物等の立体動画を表示しても良い。なお、このとき、観察者は３Ｄめがねを用いて撮影対象の立体画像を観察する構成としても良い。このような場合であっても、同様の効果を得ることができる。
【００７７】
［特許請求の範囲との対応］
上記実施形態の説明で用いた用語と、特許請求の範囲の記載に用いた用語との対応を示す。
【００７８】
第一実施形態の展示装置１における棚部２及び窓部３がケース部材に、通信部１２，情報取得部１５が取得手段に、表示部１０が表示手段に、挙動検出部１１が挙動検出手段に、リモコン受信部１６が受付手段に相当する。
【００７９】
また、第二実施形態の展示装置２００における棚部２０１及び窓部２０２がケース部材に、透過型ディスプレイ２１０がディスプレイに、温度センサ２１１が温度検出手段に相当する。
【００８０】
また、第二実施形態における展示処理のＳ３１５が、画像制御手段に相当する。
また、第三実施形態における展示装置４１０の無線通信部４１３が取得手段に、モータ４１５が原動機に、表示部４１２が表示手段に相当する。
【００８１】
また、第三実施形態における展示処理のＳ７１５が移動制御手段に相当する。
【符号の説明】
【００８２】
１…展示装置、２…棚部、３…窓部、３ａ…板部材、３ｂ…枠部材、４…台座部、５…展示画像、１０…表示部、１１…挙動検出部、１２…通信部、１３…制御部、１４…操作部、１５…情報取得部、１６…リモコン受信部、１７…操作端末、２００…展示装置、２０１…棚部、２０２…窓部、２０２ａ…板部材、２０２ｂ…枠部材、２０３…台座部、２１０…透過型ディスプレイ、２１１…温度センサ、２１２…制御部、４００…展示システム、４１０…展示装置、４１１…移動体、４１２…表示部、４１３…無線通信部、４１４…制御部、４１５…モータ、４１６…操舵部、４１７…センサ部、４２０…中継装置、４２１…通信部、４２２…無線通信部、４２３…制御部、４３０…インターネット、４４０…撮影装置、４４１…通信部、４４２…カメラ、４４３…制御部。
【図１】
2014042655.tif 000003
【図２】
2014042655.tif 000004
【図３】
2014042655.tif 000005
【図４】
2014042655.tif 000006
【図５】
2014042655.tif 000007
【図６】
2014042655.tif 000008
【図７】
2014042655.tif 000009
【図８】
2014042655.tif 000010
【図９】
2014042655.tif 000011
【図１０】
2014042655.tif 000012
【図１１】
2014042655.tif 000013
【図１２】
2014042655.tif 000014
【図１３】
2014042655.tif 000015
【図１４】
2014042655.tif 000016
【図１５】
2014042655.tif 000017
【図１６】
2014042655.tif 000018
【図１７】
2014042655.tif 000019
【図１８】
2014042655.tif 000020
【図１９】
2014042655.tif 000021
【図２０】
2014042655.tif 000022